(57)【要約】【課題】乾電池の液漏れに対しても影響を受けにくい遠隔操作装置を提供する。【解決手段】操作ボタン２と、この操作ボタン２の作動に基づいて無線信号を出力する発光ダイオード４２を実装する回路基板４と、この回路基板４に接続され、発光ダイオード４２へ駆動電力を供給するための乾電池Ｆを着脱可能に保持する電池収容部５と、回路基板４及び電池収容部５を内蔵するケース３と、を備え、電池収容部５は、一面を開口する箱状で、底壁５２及び側壁５３が水密に形成される。【選択図】図２
2018042169.tif 000002
【特許請求の範囲】
【請求項１】
操作ボタンと、
この操作ボタンの作動に基づいて無線信号を出力する出力手段を実装する回路基板と、
この回路基板に接続され、前記出力手段へ駆動電力を供給するための乾電池を着脱可能に保持する電池収容部と、
前記回路基板及び前記電池収容部を内蔵するケースと、
を備えた遠隔操作装置であって、
前記電池収容部は、一面を開口する箱状で、底壁及び側壁が水密に形成される
ことを特徴とする遠隔操作装置。
【請求項２】
前記ケースは、前記電池収容部の開口位置に対応する開口部と、
この開口部と前記電池収容部の開口端部とが内側に段差なく当接する当接部と、を設ける
ことを特徴とする請求項１に記載の遠隔操作装置。
【請求項３】
前記ケースは、前記電池収容部の開口端部を覆うように囲む枠上の突出壁を設ける
ことを特徴とする請求項１または請求項２に記載の遠隔操作装置。
【請求項４】
前記ケースは、前記開口部を覆う別体の蓋を備え、
前記開口部を介して前記乾電池を交換可能に設けられることを特徴とする請求項２に記載の遠隔操作装置
【発明の詳細な説明】
【技術分野】
【０００１】
本発明は、機器を遠隔操作するための無線式の遠隔操作装置に関する。
【背景技術】
【０００２】
従来の遠隔操作装置は、例えば、赤外線信号等の無線通信用の出力回路（出力手段）や、操作用スイッチなどを実装する回路基板や、液晶表示パネルなどの表示器、バッテリ等がケース内に収容されるものが一般的であり、例えば、特許文献１に開示されている。
【先行技術文献】
【特許文献】
【０００３】
【特許文献１】特開２００５−２５２３３６号公報
【発明の概要】
【発明が解決しようとする課題】
【０００４】
これら遠隔操作装置のバッテリとして、利用者が交換可能なように乾電池を使用するものが一般的であるが、不良品や規格外の乾電池を使用した場合や、乾電池を取り付けたまま長期間放置した場合にあっては、乾電池内の電解液が漏れてしまう可能性がある。
【０００５】
この電解質が、遠隔操作装置内の回路基板やこれに実装される電子部品に付着することで、場合によっては、新しい適正な乾電池に入れ替えても遠隔操作装置が作動しなくなってしまう虞があった。
【０００６】
そこで本発明の目的は、上述した課題に着目し、バッテリの液漏れに対しても影響を受けにくい遠隔操作装置を提供することにある。
【課題を解決するための手段】
【０００７】
本発明の遠隔操作装置は、
操作ボタンと、
この操作ボタンの作動に基づいて無線信号を出力する出力手段を実装する回路基板と、
この回路基板に接続され、前記出力手段へ駆動電力を供給するための乾電池を着脱可能に保持する電池収容部と、
前記回路基板及び前記電池収容部を内蔵するケースと、
を備えた遠隔操作装置であって、
前記電池収容部は、一面を開口する箱状で、底壁及び側壁が水密に形成される
ことを特徴とする。
【０００８】
また、前記ケースは、前記電池収容部の開口位置に対応する開口部と、
この開口部と前記電池収容部の開口端部とが内側に段差なく当接する当接部と、を設ける
ことを特徴とする。
【０００９】
また、前記ケースは、前記電池収容部の開口端部を覆うように囲む枠上の突出壁を設ける
ことを特徴とする。
【００１０】
また、前記ケースは、前記開口部を覆う別体の蓋を備え、
前記開口部を介して前記乾電池を交換可能に設けられることを特徴とする。
【発明の効果】
【００１１】
本発明は、バッテリの液漏れに対しても影響を受けにくい遠隔操作装置となる。
【図面の簡単な説明】
【００１２】
【図１】本発明の実施形態による遠隔操作装置の概略図。
【図２】同実施形態における遠隔操作装置の分解斜視図。
【図３】同実施形態における遠隔操作装置の電池収容部を含む断面図。
【発明を実施するための形態】
【００１３】
以下、本発明の遠隔操作装置の実施形態として、空気調和機用のリモートコントローラ（以下、リモコンと記す）に適用したものを例に挙げて、図面を用いて説明する。
【００１４】
図１に示すように、リモコンＡの操作対象となる空気調和機Ｂは、室内機Ｃと室外機Ｄとを接続配管Ｅで接続し、所望の冷房，暖房，除湿の運転により、室内の温度等を調節する。室内機Ｃは、熱交換機、送風ファン、受信回路などを前面パネルＣ１内に内蔵している。また、室内機Ｃの前面パネルＣ１には、空気の吹き出し口Ｃ２の隣に、リモコンＡとの無線通信を行うための受光部Ｃ３と、運転状態を表示する表示部Ｃ４とを設けている。
【００１５】
室内機Ｃは、内部の制御基板に実装された該受信回路やマイクロコンピュータを用いて、リモコンＡからの信号に従って、送風ファンや吹き出し口Ｃ２の風向きなどの駆動制御や熱交換機を有する室外機Ｄとの通信を行う。室外機Ｄは、該通信に従って、内蔵する熱交換機を作動させ、室内機Ｃ内の熱交換機の作用を併せて、室内の温度や湿度を空調運転できる。
【００１６】
リモコンＡは、液晶表示素子を用いた表示パネル１と、操作ボタン２と、これらを保持するケース３とを備えている。空気調和機Ｂの利用者は、ケース３を手元に把持した状態で、運転切替や所望の温度、風量などを、表示パネル１に表示される空気調和機Ｂの設定状態を確認しながら、操作ボタン２を指先で押圧操作できる。また、リモコンＡは、無線通信手段を備えており、該押圧操作に基づく信号を室内機Ｃの受信回路へ伝えることができる。
【００１７】
次に、リモコンＡについて、図２を用いて説明する。
【００１８】
リモコンＡは、表示パネル１と、操作ボタン２と、ケース３と、回路基板４と、電池収容部５と、を備えている。
【００１９】
表示パネル１は、ケース３の開口窓から臨むことができるように保持され、液晶表示素子を適用できる。表示パネル１は、回路基板４に実装された制御回路４１からの制御信号によって駆動制御され、操作ボタン２の操作に基づく、操作状態や、通信対象である空気調和機Ｂの設定状態、室温や現在温度、時刻などを表示できる。また、表示パネル１の表面にタッチパネルを積層することによって、入力手段とすることも考えられる。表示パネル１は、回路基板４に対して図示しない異方性導電部材を介して電気的に接続されるが、フレキシブル配線等を用いて接続することもできる。
【００２０】
操作ボタン２は、利用者が指先で押圧操作することで、回路基板４に実装されるスイッチ（接点）の通電状態を切り替えるものであり、この場合、合成ゴムやシリコンゴムを適用でき、材質や形状による弾性変形可能な電気絶縁性のシートに、先端面に導電材を有する複数凸部２１を設ける形状である。
【００２１】
この凸部２１は、回路基板４の各接点４ａ（図３に示す）に対向し、外側からの押圧操作時に対象の接点４ａに接触することで、通電信号（操作信号）を制御回路４１へ出力できる。また、指先が操作ボタン２から離れた場合には、合成ゴムの形状復帰によって接点４ａを断線（非通電）状態に戻すことができる。
【００２２】
ケース３は、合成樹脂材からなり、表ケース３１と、裏ケース３２と、蓋３３と、を設けており、これらが組み付けられることで、内部に回路基板４や電池収容部５などの部品を収容する空間を形成する。
【００２３】
表ケース３１は、表示パネル１及び操作ボタン２を臨む開口窓３１ａを複数有し、この開口窓３１ａの縁部分によって、表示パネル１及び操作ボタンスイッチ２を位置決めできる。また、表ケース３１は、回路基板４との間に前記異方性導電部材を介して表示パネル１を挟み込むようにして保持するとともに、操作ボタン２も回路基板４との間に挟み込むようにして保持される。回路基板４は、表ケース３１に対して図示しないビスによって固定される。
【００２４】
裏ケース３２は、凹形状に形成され、表ケース３１に対して嵌め込まれ、更に図示しないビスやフックによって固定保持される。また、裏ケース３２は、透光部３２ａと、開口部３２ｂと、当接部３２ｃと、突出壁３２ｄとが形成される。
【００２５】
透光部３２ａは、赤外光線を透過可能な透光性の合成樹脂材を適用でき、この場合、透明材に暗色の顔料を混入してから樹脂成形した所謂スモーク部材であり、裏ケース３２に圧入して嵌め込まれる。
【００２６】
開口部３２ｂは、乾電池Ｆを着脱可能なようにケース３内を臨む貫通孔であり、電池収容部５の形状に対応して設けられる。また、裏ケース３２は、電池収容部５の開口端部５１に当たる当接部３２ｃと、開口端部５１の周囲を囲むように設けられる突出壁３２ｄとが形成される。
【００２７】
蓋３３は、裏ケース３２の開口部３２ｂの外側に、この開口部３２ｂを覆い塞ぐように設けられ、電池収容部５と、裏ケース３２の開口部３２ｂとともに、乾電池Ｆの収容空間を形成する。この場合、蓋３３は、弾性変形可能な図示しないフック部を有しており、裏ケース３２に係合保持される。
【００２８】
また、蓋３３は、電池収容部５に対向する面を凹面とする凹形状に形成されており、リモコンＡの表側（表示パネル１や操作ボタン２を有する面側）を上にして置かれた状態で、乾電池Ｆから内部の電解液が漏れた場合に、この液をある程度留めておくスペースにできるため、回路基板４側へ液が至り難くなる。
【００２９】
回路基板４は、ガラスエポキシ樹脂等を用いた基材に、銅箔パターンを形成した硬質のプリント基板を適用でき、マイクロコンピュータからなる制御回路４１や、発光ダイオード４２、コンデンサや抵抗素子などの電子部品やスイッチ用の接点４ａ、これらを接続する配線パターンが設けられる。また、回路基板４は、電池収容部５の接触端子５ａや該配線パターンを介して、乾電池Ｆからの電力を発光ダイオード４２などの電子部品に供給できる。
【００３０】
なお、この場合、空気調和機Ｂとの通信手段として、赤外光を適用し、出力手段となる発光ダイオード４２による発光パターンによって識別可能な信号をやり取りするが、この他に、例えば、送受信アンテナや電波送受信回路等からなる出力手段をリモコンＡと空気調和機Ｂのそれぞれに用意して、近距離電波信号を利用した通信手段に置き換えることもできる。
【００３１】
また、この場合、スイッチ用に操作ボタン２の凸部２１に対向する銅箔パターンからなる接点４ａを複数設ける構造であるが、タクトスイッチなどのスイッチ素子を回路基板４に実装することで代替して適用することもできる。
【００３２】
電池収容部５は、合成樹脂材を適用でき、開口端部５１と、底壁５２、側壁５３、仕切り壁５４、端子保持部５５とを有し、一面を開口する箱状の乾電池収容ボックスである。電池収容部５は、回路基板４と裏ケース３２とで挟み込むようにして位置決め保持される。
【００３３】
また、電池収容部５の底壁５２と側壁５３と仕切り壁５４は、それぞれ貫通孔などなく、互いに水密に結合している。従って、開口端部５１を上にして水平状態にした場合、ある程度の容量分の液溜まり可能な形状としている。端子保持部５５は、底壁５２と側壁５３とによって囲われる箱内において、乾電池Ｆの各電極（陰極または陽極）と接触する接触端子５ａが嵌まる溝形状に形成される。
【００３４】
なお、接触端子５ａは、対向する側壁５３の開口端部５１側から電池収容部５の外側に引き回され、回路基板４に半田接続される。この場合、電池収容部５は、底壁５２からの図示しない突起と、これを挿通する回路基板４の貫通孔とによって、位置決めするとともに、回路基板４に半田接続された接触端子５ａを端子保持部５５に嵌めることで、裏ケース３２が組み付けられるまでの仮止め状態にできる。
【００３５】
次に図３を用いて、乾電池Ｆの収容空間について説明する。
【００３６】
乾電池Ｆの収容空間は、電池収容部５と、裏ケース３２の開口部３２ｂと、蓋３３とによって囲われて設けられる。電池収容部５の開口端部５１は、これに対向する裏ケース３２の当接部３２ｃと当接している。また、この当接箇所において、開口部３２ｂと側壁５３の内壁側とが、段差なく当接している。従って、電池収容部５内に乾電池Ｆの電解液が液漏れした状態で、リモコンＡが表裏に返されても留まりなく底壁５２または蓋３３の内側へ流動される。このため、電解液が、回路基板４や、これに実装される電子部品へ至り難い構造となる。
【００３７】
また、側壁５３は、底壁５２から、乾電池Ｆの円筒部分の外径の略半分の高さに開口端部５１（当接部３２ｃとの当接箇所）が形成されるように寸法設計されており、リモコンＡが表裏に何れかの状態で放置され、更に乾電池Ｆから電解液が液漏れした場合を想定し、表裏両方の場合であっても、電解液から開口端部５１と当接部３２ｃとの当接面（隙間）までの距離を確保でき、この当接面から電解液が回路基板４側へ浸出することを抑止できる。また、リモコンＡが多少傾いた場合であっても該当接面から電解液が漏れ難い寸法設計となる。
【００３８】
また、裏ケース３２には、開口端部５１の周りを囲うように枠状に形成される突出壁３２ｄが形成されている。これにより、当接部３２ｃと開口端部５１との微小な隙間から、上記乾電池Ｆの収容空間外へ該電解液が漏れ出た場合にあっても、電解液の拡散を抑止する作用があり、例えば、回路基板４の制御回路４１側へ該液が至りにくくなる。
【００３９】
斯かるリモコンＡは、操作ボタン２と、この操作ボタン２の作動に基づいて無線信号を出力する発光ダイオード４２を実装する回路基板４と、この回路基板４に接続され、発光ダイオード４２へ駆動電力を供給するための乾電池Ｆを着脱可能に保持する電池収容部５と、回路基板４及び電池収容部５を内蔵するケース３と、を備えたリモコンＡであって、電池収容部５は、一面を開口する箱状で、底壁５２及び側壁５３が水密に形成される。
【００４０】
従って、リモコンＡが表面を下にした状態（表示パネル１や操作ボタン２を下に伏せた状態）で放置され、この間に、乾電池（バッテリ）Ｆの液漏れが生じた場合、該液が回路基板４に至らないため、液漏れに対しても影響を受けにくい遠隔操作装置となる。
【００４１】
また、ケース３は、電池収容部５の開口位置に対応する開口部３２ｂと、この開口部３２ｂと電池収容部５の開口端部５１とが内側に段差なく当接する当接部３２ｃと、を設けることによって、乾電池Ｆが液漏れした場合に、電解液が開口端部５１と当接部３２ｃとの間に至りにくい構造となる。
【００４２】
また、操作ボタン２は、表ケース３１（ケース３）と回路基板４とで挟み込まれる箇所に、回路基板４に対向して接触する当接面２２が、凸部２１を囲うように設けられる。この当接面２２は、回路基板４面に接することで、回路基板４の接点４ａの周囲を囲うパッキンとして作用し、乾電池Ｆが液漏れした場合に、電解液が接点４ａに至りにくい構造となるため、液漏れによる故障の発生を抑止できる。
【００４３】
なお、本発明の遠隔操作装置を上述した実施の形態の構造にて例に挙げて説明したが、本発明はこれに限定されるものではなく、他の構造においても、本発明の要旨を逸脱しない範囲において種々の改良、並びに表示の変更が可能なことは勿論である。
【産業上の利用可能性】
【００４４】
本発明は、利用者が把持しながら操作する遠隔操作装置に関して、例えば、空気調和機やテレビなどの装置を対象にした無線式の遠隔操作手段として好適である。
【符号の説明】
【００４５】
１    表示パネル
２    操作ボタン
３    ケース
３１  表ケース
３２  裏ケース
３２ｂ  開口部
３２ｃ  当接部
３２ｄ  突出壁
３３  蓋
４    回路基板
４１  制御回路
４２  発光ダイオード（出力手段）
５    電池収容部
５１  開口端部
５２  底壁
５３  側壁
５４  仕切り壁
５５  端子保持部
５ａ  接触端子
Ａ    リモコン（遠隔操作装置）
Ｂ    空気調和機
Ｆ    乾電池
【図１】
2018042169.tif 000003
【図２】
2018042169.tif 000004
【図３】
2018042169.tif 000005